(57)【要約】【課題】屋内空気を燃焼用空気として燃焼するバーナと、バーナの燃焼排ガスと熱交換して内部に流れる水を加熱する熱交換器とを備え、熱交換器との熱交換後の燃焼排ガスを室内に排気するようにした開放型湯沸器であって、バーナに点火させる点火処理を実行する制御手段と、バーナに点火させるための信号を制御手段に入力する点火操作手段とを備えるものにおいて、設置場所が限定されず、且つコストを抑えるとともに、換気忘れを抑制することができるものを提供する。【解決手段】換気を促す音声報知７３ａ，７３ｂを行う音声報知手段７４を備え、制御手段７は、点火操作手段９１により点火指示信号が入力されると、音声報知手段７４を作動させてから点火処理７１を実行するように構成される。【選択図】図２
2009014303.tif 000002
【特許請求の範囲】
【請求項１】
屋内空気を燃焼用空気として燃焼するバーナと、バーナの燃焼排ガスと熱交換して内部に流れる水を加熱する熱交換器とを備え、熱交換器との熱交換後の燃焼排ガスを室内に排気するようにした開放型湯沸器であって、バーナに点火させる点火処理を実行する制御手段と、バーナに点火させるための信号を制御手段に入力する点火操作手段とを備えるものにおいて、
換気を促す音声報知を行う音声報知手段を備え、
前記制御手段は、前記点火操作手段により点火指示信号が入力されると、前記音声報知手段を作動させてから点火処理を実行するように構成されることを特徴とする開放型湯沸器。
【請求項２】
前記点火操作手段とは別の確認操作手段を備え、
前記制御手段は、前記音声報知手段による音声報知を実行した後、前記確認操作手段の操作が行われたときに、前記点火処理を実行することを特徴とする請求項１記載の開放型湯沸器。
【請求項３】
前記音声報知手段は、複数種類の音声報知を記憶し、前記点火操作手段により点火指示信号が前記制御手段に入力される度に毎回、或いは複数回毎に音声報知の種類を変更することを特徴とする請求項１又２記載の開放型湯沸器。
【発明の詳細な説明】
【技術分野】
【０００１】
本発明は、屋内空気を燃焼用空気として燃焼するバーナと、バーナの燃焼排ガスと熱交換して内部に流れる水を加熱する熱交換器とを備え、熱交換器との熱交換後の燃焼排ガスを室内に排気するようにした開放型湯沸器に関する。
【背景技術】
【０００２】
従来、湯沸器は、バーナに点火させる点火処理を実行する制御手段と、バーナに点火させるための信号を制御手段に入力する点火操作手段とを備えており、点火操作手段の操作で熱交換器に通水すると共に、制御手段による点火処理の実行でバーナに点火するようにしている。
【０００３】
ところで、開放型湯沸器においては、バーナの燃焼排ガスが室内に排気されるため、室内の換気を十分に行う必要がある。そこで、従来の開放型湯沸器では湯沸器本体に換気注意のラベルを貼り、使用者に注意を促していた。しかしながら、室内の換気は使用者まかせとなるため、換気忘れの虞もある。
【０００４】
ここで、従来、屋内空気を燃焼用空気とし燃焼排ガスを屋外に排気する給湯器ではあるが、空気中の一酸化炭素の濃度を検出するＣＯセンサと、換気扇を作動させる換気扇連動制御装置とを設け、ＣＯセンサの検出濃度が所定濃度以上となると、換気扇連動制御装置により換気扇を作動させ、室内換気を行うものが知られている（例えば、特許文献１参照）。このような給湯器と換気扇との連動技術を応用して、開放型湯沸器の使用時に換気扇も作動するように構成することも考えられる。
【０００５】
しかしながら、湯沸器と換気扇とを連動させるための配線が必要となるため、配線のスペースが確保できず設置できないといった問題や、低コスト故に需要がある開放型湯沸器に換気扇連動装置を組み込むことはコストがかかり過ぎるという問題もある。
【特許文献１】特開平１１−１４１８６５号公報
【発明の開示】
【発明が解決しようとする課題】
【０００６】
本発明は、以上の点に鑑み、設置場所が限定されず、且つコストを抑えるとともに、換気忘れを抑制することができる開放型湯沸器を提供することを目的とする。
【課題を解決するための手段】
【０００７】
上記目的を達成するため、本発明は、屋内空気を燃焼用空気として燃焼するバーナと、バーナの燃焼排ガスと熱交換して内部に流れる水を加熱する熱交換器とを備え、熱交換器との熱交換後の燃焼排ガスを室内に排気するようにした開放型湯沸器であって、バーナに点火させる点火処理を実行する制御手段と、バーナに点火させるための信号を制御手段に入力する点火操作手段とを備えるものにおいて、換気を促す音声報知を行う音声報知手段を備え、前記制御手段は、前記点火操作手段により点火指示信号が入力されると、前記音声報知手段を作動させてから点火処理を実行するように構成されることを特徴とする。
【０００８】
本発明によれば、点火操作手段により点火指示信号が制御手段に入力されると音声報知手段により換気を促す音声報知が行われるため、使用者の換気忘れを抑制することができる。
【０００９】
又、本発明の湯沸器は、従来の湯沸器に音声報知手段を設け、制御手段のプログラムを点火操作部の操作後に音声報知手段を作動させるように変更させるだけで製造することができる。このため、本発明の湯沸器は、換気扇と連動するような構成と比較して、製造コストを抑えることができる。又、本発明の湯沸器によれば、換気扇と配線で接続する必要がないため、配線のスペースを考慮することなく自由に設置することができる。
【００１０】
又、点火操作手段により点火指示信号が制御手段に入力され音声報知手段による音声報知が行われた後に直ちに制御手段が点火処理を行うと、使用者は換気を忘れる虞もある。この場合、点火操作手段とは別の確認操作手段を設け、制御手段が、音声報知手段による音声報知を実行した後、確認操作手段の操作が行われたときに、点火処理を実行するようにすれば、使用者が確認操作手段の操作を行わなければ点火処理が実行されないため、使用者の換気忘れをより抑制することができる。
【００１１】
又、１種類の音声報知のみでは、使用者は、音声報知に聞きなれてしまい、音声報知に対する注意力が次第に低下することも考えられる。この場合、音声報知手段に複数種の音声報知を記憶させ、点火操作手段により点火指示信号が制御手段に入力される度に毎回、或いは複数回毎に音声報知の種類を変更させれば、音声報知の変化により、使用者に音声報知への注意力を持続させることができ、使用者の換気忘れをより抑制することができる。
【発明を実施するための最良の形態】
【００１２】
図１を参照して、本発明の実施形態の開放型湯沸器１は、屋内空気を燃焼用空気として燃焼するバーナ２と、バーナ２の燃焼排ガスと熱交換して内部に流れる水を加熱する熱交換器３とを備え、熱交換器３との熱交換後の燃焼排ガスを室内に排気するものである。熱交換器３には給水路４が接続され、この給水路４から水道水が供給される。又、熱交換器３には出湯路５が接続され、熱交換器３で加熱された湯が出湯路５から出湯する。
【００１３】
給水路４には、モータ４１ａの駆動により開閉される水弁４１と、給水圧を適正に保つ水ガバナ４２と、給水量を調節するための水量調節弁４３とが設けられている。
【００１４】
バーナ２には、燃料ガスを供給する燃料ガス供給路６が接続されている。燃料ガス供給路６には、電磁弁から成るガス弁６１と、水ガバナ４２と連動し熱交換器３に通水されているときに開く水圧応動弁６２と、供給ガス圧を適正に保つガスガバナ６３と、供給ガス量を調節するガス量調節弁６４とが設けられている。
【００１５】
開放型湯沸器１は、制御手段としてのコントローラ７と、スピーカ８とを備える。コントローラ７は、点火処理部７１と、燃焼制御処理部７２と、２種類の音声報知７３ａ，７３ｂが記憶されたＩＣ７３と、ＩＣ７３に記憶された音声報知７３ａ，７３ｂのうちどちらか一方を選択してスピーカ８に出力する音声報知処理部７４とを備える。第１音声報知７３ａは例えば「換気をして下さい。換気をした後、確認ボタンを押して下さい。」との音声報知であり、第２音声報知７３ｂは例えば「機器の使用には換気が必要です。換気をした後、確認ボタンを押して下さい。」との音声報知である。
【００１６】
又、開放型湯沸器１は、点火操作手段としての点火ボタン９１と、確認操作手段としての確認ボタン９２とを備える。又、バーナ２には、バーナ２に点火する点火プラグ２１と、点火状態を検知するためのフレームロッド２２と、燃焼不良を検知するための熱電対２３とが設けられている。
【００１７】
コントローラ７の点火処理部７１が実行する点火処理では、まず、モータ４１ａを駆動し水弁４１を開弁させる。水弁４１の開弁で熱交換器３に通水されると、水ガバナ４２が作動し、これに連動して水圧応動弁６２が開く。
【００１８】
水圧応動弁６２には、その開閉によってＯＮ・ＯＦＦされる水流スイッチ６２ａが設けられている。水流スイッチ６２ａがＯＮとなると、コントローラ７はガス弁６１を開弁させてバーナ２に燃料ガスを供給すると共に、点火プラグ２１での火花放電を行いバーナ２に点火させる。そして、フレームロッド２２によりバーナ２の火炎が検知されたところで点火プラグ２１の火花放電を停止し、点火処理を完了する。
【００１９】
コントローラ７の燃焼制御処理部７２では、不完全燃焼による火炎リフトで熱電対２３の起電力が低下したとき、ガス弁６１を閉弁してバーナ２を消火すると共に、水弁４１を閉弁して通水を停止する。又、出湯中に点火ボタン９１が押されたときにも同様にバーナ２の消火と通水停止とを行う。
【００２０】
次に図２を参照してコントローラ７の音声報知処理部７４による音声報知処理を中心に説明する。尚、コントローラ７は、図示しないＥＥＰＲＯＭ等に点火回数ｎを常に記憶しており、初期設定では点火回数ｎは１に設定されている。
【００２１】
まず、ＳＴＥＰ１で、点火ボタン９１が押されたか否かを判別する。点火ボタン９１が押された場合には、ＳＴＥＰ２に進み、点火回数ｎが１０であるか否かを判別する。点火回数ｎが１０でない場合には、ＳＴＥＰ３に進み、第１音声報知７３ａ「換気をして下さい。換気をした後、確認ボタンを押して下さい。」を選択し、ＳＴＥＰ４に進んで第１音声報知７３ａをスピーカ８から出力する。
【００２２】
そして、ＳＴＥＰ５に進み、点火回数ｎにｎ＋１を代入する。そして、ＳＴＥＰ６に進み、確認ボタン９２が押されたか否かを判別する。確認ボタン９２が押された場合には、ＳＴＥＰ７に進み、上述した点火処理部７１による点火処理を実行する。
【００２３】
ＳＴＥＰ２で点火回数ｎが１０である場合には、ＳＴＥＰ８に分岐し、第２音声報知７３ｂ「機器の使用には換気が必要です。換気をした後、確認ボタンを押して下さい。」を選択する。そして、ＳＴＥＰ９に進み、点火回数ｎに０を代入してリセットする。そして、ＳＴＥＰ５に進み、第２音声報知７３ｂをスピーカ８から出力する。
【００２４】
即ち、実施形態の開放型湯沸器１においては、点火回数ｎが１０回目となる毎に第２音声報知７３ｂによる音声報知を行い、他のときは第１音声報知７３ａによる音声報知を行う。このように、音声報知に変化をつけることにより使用者の注意を引きやすくなり、換気忘れを抑制させることができる。実施形態においては、図２のＳＴＥＰ１〜５、ＳＴＥＰ８の処理が音声報知手段としての音声報知処理に該当する。
【００２５】
尚、実施形態の開放型湯沸器１においては、点火回数ｎが１０回目となる毎に第２音声報知７３ｂによる音声報知を行い、他のときは第１音声報知７３ａによる音声報知を行うものを説明したが、これに限られず、例えば、点火される毎に第１音声報知７３ａと第２音声報知７３ｂとを切り替えて音声報知を行うように構成してもよい。
【００２６】
又、実施形態の開放型湯沸器１においては、ＩＣ７３に２種類の音声報知７３ａ，７３ｂが記憶されたものを説明したが、ＩＣ７３に記憶される音声報知は３種類以上であってもよい。
【図面の簡単な説明】
【００２７】
【図１】本発明の湯沸器の実施形態を示す説明図。
【図２】実施形態の湯沸器の制御処理を示すフローチャート。
【符号の説明】
【００２８】
１…開放型湯沸器、  ２…バーナ、  ２１…点火プラグ、  ２２…フレームロッド、  ２３…熱電対、  ３…熱交換器、  ４…給水路、  ４１…水弁、  ４１ａ…モータ、  ４２…水ガバナ、  ４３…水量調節弁、  ５…出湯路、  ６…燃料ガス供給路、  ６１…ガス弁（電磁弁）、  ６２…水圧応動弁、  ６２ａ…水流スイッチ、  ６３…ガスガバナ、  ６４…ガス量調節弁、  ７…コントローラ（制御手段）、  ７１…点火処理部、  ７２…燃焼制御処理部、  ７３…ＩＣ（記憶装置）、  ７３ａ，７３ｂ…音声報知、  ７４…音声報知処理部（音声報知手段）、  ８…スピーカ、  ９１…点火ボタン、  ９２…確認ボタン。
【図１】
2009014303.tif 000003
【図２】
2009014303.tif 000004